(57)【要約】  本発明はスクリーンショット機能を内蔵するインテリジェント端末を開示し、該インテリジェント端末は、感知ユーザのタッチを感知し、タッチポイントの座標を形成し、かつ形成されたタッチポイントの座標を処理モジュールに送信するように構成される感知モジュールと、タッチポイントの座標を受信し、タッチポイントの座標に対して処理し、キャプチャー領域を形成してキャプチャーするように構成される処理モジュールとを備える。また、本発明はスクリーンショット機能を内蔵するインテリジェント端末の実現方法をさらに開示する。本発明の技術案によれば、キーの組み合わせを記憶する必要がなく、インテリジェント端末のスクリーン全画面で表示する状況下で画面の内容をキャプチャーする必要がなく、ユーザ操作を便利にする。【選択図】図１
2016508251.tif 000002
【特許請求の範囲】
【請求項１】
スクリーンショット機能を内蔵するインテリジェント端末であって、
ユーザのタッチを感知し、タッチポイントの座標を形成し、かつ、形成されたタッチポイントの座標を処理モジュールに送信するように構成される感知モジュールと、
タッチポイントの座標を受信し、タッチポイントの座標に対して処理し、キャプチャー領域を形成してキャプチャーするように構成される処理モジュールとを備える
スクリーンショット機能を内蔵するインテリジェント端末。
【請求項２】
前記インテリジェント端末のスクリーンは静電容量式タッチスクリーンを採用することを特徴とする
請求項１に記載のスクリーンショット機能を内蔵するインテリジェント端末。
【請求項３】
前記処理モジュールは、
すべてのタッチポイントの座標を受信し、すべてのタッチポイントの座標の横座標値、縦座標値の大きさに対する比較により、キャプチャー領域を確定するように構成されることを特徴とする
請求項１または２に記載のスクリーンショット機能を内蔵するインテリジェント端末。
【請求項４】
前記処理モジュールは、
すべてのタッチポイントの座標を受信し、すべてのタッチポイントの座標の横座標値、縦座標値の大きさを比較し、すべてのタッチポイントの座標における横座標の最大値、最小値及び縦座標の最大値、最小値を取得し、横座標の最大値、最小値を減算して第１の差値を取得し、縦座標の最大値、最小値を減算して第２の差値を取得し、第１の差値長さを介して形成する２本の線分及び第２の差値長さを介して形成する２本の線分で囲まれた閉領域はキャプチャー領域であり、キャプチャー領域をキャプチャーするように構成されることを特徴とする
請求項３に記載のスクリーンショット機能を内蔵するインテリジェント端末。
【請求項５】
前記キャプチャー領域をキャプチャーすることは、指のキャプチャー操作が検出される場合、キャプチャー領域をキャプチャーすることを特徴とする
請求項１または４に記載のスクリーンショット機能を内蔵するインテリジェント端末。
【請求項６】
スクリーンショット機能を内蔵するインテリジェント端末の実現方法であって、
ユーザのタッチを感知し、かつタッチポイントの座標を形成することと、
前記タッチポイントの座標に対して処理し、キャプチャー領域を形成してキャプチャーすることとを含む
スクリーンショット機能を内蔵するインテリジェント端末の実現方法。
【請求項７】
タッチポイントの座標に対して処理することは、
すべてのタッチポイントの座標の横座標値、縦座標値の大きさに対する比較により、キャプチャー領域を確定することを含むこと特徴とする
請求項６に記載のスクリーンショット機能を内蔵するインテリジェント端末の実現方法。
【請求項８】
タッチポイントの座標に対して処理し、キャプチャー領域を形成することは、
すべてのタッチポイントの座標の横座標値、縦座標値の大きさを比較し、すべてのタッチポイントの座標における横座標の最大値、最小値及び縦座標の最大値、最小値を取得し、横座標の最大値、最小値に対して減算して第１の差値を取得し、縦座標の最大値、最小値に対して減算して第２の差値を取得し、第１の差値長さを介して形成する２本の線分及び第２の差値長さを介して形成する２本の線分で囲まれた閉領域はキャプチャー領域であることを特徴とする
請求項７に記載のスクリーンショット機能を内蔵するインテリジェント端末の実現方法。
【請求項９】
前記インテリジェント端末のスクリーンは静電容量式タッチスクリーンを採用することを特徴とする
請求項６、７または８に記載のスクリーンショット機能を内蔵するインテリジェント端末の実現方法。
【請求項１０】
キャプチャー領域をキャプチャーすることは、指のキャプチャー操作が検出された場合、キャプチャー領域をキャプチャーすることを特徴とする
請求項６に記載のスクリーンショット機能を内蔵するインテリジェント端末の実現方法。
【発明の詳細な説明】
【技術分野】
【０００１】
本発明はインテリジェント端末のスクリーンショット技術に属し、具体的に、スクリーンショット機能を内蔵するインテリジェント端末及びその実現方法に関する。
【背景技術】
【０００２】
従来の端末と比べて、インテリジェント端末はより多い利便性をユーザにもたらす。ユーザはインテリジェント端末、例えば、スマートフォンを使用する場合、通常に自分の興味ある画面の内容（通常、画像を指す）をキャプチャーし、その後記憶または編集する。現在の多数のスマートフォンはスクリーンショット機能を内蔵し、例えば、アンドロイド（Ａｎｄｒｏｉｄ）操作システムを有するスマートフォンが、スクリーンショットの場合に電源キーと音量キーを同時に押す必要があり、かつ、一定時間（約十秒）を保持して押す必要がある。アップル社が研究開発したスマートフォンは、電源キーとＨｏｍｅキーを同時に押す必要があり、かつ、一定時間（約十秒）を保持して押す必要がある。スマートフォンに内蔵された上記のスクリーンショット機能は２つの不足があると発明者が発見した。
【０００３】
１、スクリーンショット機能をよく使わないユーザにとって、スクリーンショット機能を使用しようとする場合、どの２つのキーの組み合わせでスクリーンショットを実現するかどうかを何度も覚えなければならず、また、間違って覚えている場合もあるかもしれない。そのため、２つのキーの組み合わせ方式はスクリーンショット機能をよく使わないユーザにとって不便である。
【０００４】
２、ユーザが、興味ある画面の内容をキャプチャーする場合、多くの場合、画面の内容に対して全画面表示し、全画面表示でないと、興味ある画面の内容をキャプチャーできない。
【発明の概要】
【０００５】
これを鑑みて、本発明実施例の主な目的は、キーの組み合わせの必要がなく、全画面表示を基にキャプチャーする必要がなく、ユーザの操作に便利性を提供するスクリーンショット機能を内蔵するインテリジェント端末及びその実現方法を提供することにある。
【０００６】
上記の目的を達するために、本発明実施例の技術案は下記のように実現される。
【０００７】
本発明の実施例は、スクリーンショット機能を内蔵するインテリジェント端末を提供し、該端末は、
ユーザのタッチを感知し、タッチポイントの座標を形成し、かつ、形成されるタッチポイントの座標を処理モジュールに送信するように構成される感知モジュールと、
タッチポイントの座標を受信し、タッチポイントの座標に対して処理し、キャプチャー領域を形成してキャプチャーするように構成される処理モジュールとを備える。
【０００８】
上記の技術案において、前記インテリジェント端末のスクリーンは静電容量式タッチスクリーンを採用する。
【０００９】
上記の技術案において、前記処理モジュールは、
すべてのタッチポイントの座標を受信し、すべてのタッチポイントの座標の横座標値、縦座標値の大きさに対する比較により、キャプチャー領域を確定するように構成される。
【００１０】
上記の技術案において、前記処理モジュールは、
すべてのタッチポイントの座標を受信し、すべてのタッチポイントの座標の横座標値、縦座標値の大きさを比較し、すべてのタッチポイントの座標における横座標の最大値、最小値及び縦座標の最大値、最小値を取得し、横座標の最大値、最小値に対して減算して第１の差値を取得し、縦座標の最大値、最小値に対して減算して第２の差値を取得し、第１の差値長さを介して形成される２本の線分及び第２の差値長さを介して形成される２本の線分で囲まれた閉領域がキャプチャー領域であり、キャプチャー領域をキャプチャーするように構成される。
【００１１】
上記の技術案において、前記キャプチャー領域をキャプチャーすることは、指のキャプチャー操作が検出される場合、キャプチャー領域をキャプチャーすることである。
【００１２】
また、本発明実施例はスクリーンショット機能を内蔵するインテリジェント端末の実現方法を提供し、前記方法は、
ユーザのタッチを感知し、かつタッチポイントの座標を形成することと、
前記タッチポイントの座標に対して処理し、キャプチャー領域を形成してキャプチャーすることとを含む。
【００１３】
上記の技術案において、タッチポイントの座標に対して処理することは、
すべてのタッチポイントの座標の横座標値、縦座標値の大きさに対する比較により、キャプチャー領域を確定することを含む。
【００１４】
上記の技術案において、タッチポイントの座標に対して処理し、キャプチャー領域を形成することは、
すべてのタッチポイントの座標の横座標値、縦座標値の大きさを比較し、すべてのタッチポイントの座標における横座標の最大値、最小値及び縦座標の最大値、最小値を取得し、横座標の最大値、最小値に対して減算して第１の差値を取得し、縦座標の最大値、最小値に対して減算して第２の差値を取得し、第１の差値長さを介して形成する２本の線分及び第２の差値長さを介して形成する２本の線分で囲まれた閉領域はキャプチャー領域であることである。
【００１５】
上記の技術案において、前記インテリジェント端末のスクリーンは静電容量式タッチスクリーンを採用する。
【００１６】
上記の技術案において、キャプチャー領域をキャプチャーすることは、指のキャプチャー操作が検出された場合、キャプチャー領域をキャプチャーすることである。
【００１７】
本発明実施例に提供されているスクリーンショット機能を内蔵するインテリジェント端末及びその実現方法によって、ユーザは興味ある画面の内容に対してタッチし、インテリジェント端末はタッチを感知し、タッチポイントの座標を生成し、タッチポイントの座標に対して処理してキャプチャー領域を形成し、その後、ユーザの興味ある画面の内容をキャプチャーする。本発明の技術案によれば、キーの組み合わせを記憶する必要がなく、スクリーン全画面で表示する状況で画面の内容をキャプチャーする必要がなく、ユーザ操作に便利性が提供される。
【図面の簡単な説明】
【００１８】
【図１】本発明の実施例のスクリーンショット機能を内蔵するインテリジェント端末の構成構造を示す図である。
【図２（ａ）】本発明の一具体的な実施例を示す図である。
【図２（ｂ）】本発明の一具体的な実施例を示す図である。
【図２（ｃ）】本発明の一具体的な実施例を示す図である。
【図３】本発明の実施例のスクリーンショット機能を内蔵するインテリジェント端末の実現方法のフローチャートを示す図である。
【発明を実施するための形態】
【００１９】
本発明の実施例はスクリーンショット機能を内蔵するインテリジェント端末を提供し、図１に示すように、前記インテリジェント端末は、感知モジュール１０と処理モジュール１１を備える。
【００２０】
前記感知モジュール１０は、ユーザのタッチを感知し、タッチポイントの座標を形成し、形成されたタッチポイントの座標を前記処理モジュール１１に送信するように構成される。
【００２１】
前記処理モジュール１１は、タッチポイントの座標を受信し、タッチポイントの座標を処理し、キャプチャー領域を形成してキャプチャーするように構成される。
【００２２】
ここで、インテリジェント端末はスマートフォンを例として、現在の多数のスマートフォンタッチスクリーンは静電容量式タッチスクリーンを採用し、静電容量式タッチスクリーンはシングルポイントタッチをサポートすることだけでなく、さらにマルチポイントタッチをサポートする。静電容量式タッチスクリーンは感知マトリックスを有するので、静電容量式タッチスクリーンを採用するスマートフォンはタッチポイントの座標を感知することができる。
【００２３】
本発明の実施例において、ユーザが２本または２本以上の指を使用することに適用されることができ、ユーザは２本または２本以上の指でキャプチャー動作を行い、例えば、２本の指をひねるように集めたりまたは２本以上の指でキャプチャー領域に対してひねるように集めて、指のキャプチャー操作を検出した場合、キャプチャー領域をキャプチャーする。
【００２４】
本実施例において、ユーザが３本の指を使用することを例とし、同時に図２（ａ）〜図２（ｃ）を参照しながら、本発明実施例をさらに説明する。
【００２５】
ユーザは３本の指で自分の興味ある画面の内容をスマートフォンタッチスクリーンにタッチし、図２（ａ）に示すようなタッチポイント１、タッチポイント２及びタッチポイント３を形成し、スマートフォンは静電容量式タッチスクリーンを採用し、感知マトリックスを有するので、前記感知モジュール１０はタッチポイント１、タッチポイント２及びタッチポイント３の位置を感知でき、タッチポイント１座標（ｘ１，ｙ１）、タッチポイント２座標（ｘ２，ｙ２）及びタッチポイント３座標（ｘ３，ｙ３）を形成し、前記感知モジュール１０は３つのタッチポイントの座標を前記処理モジュール１１に送信する。
【００２６】
前記処理モジュール１１はタッチポイント１座標（ｘ１，ｙ１）、タッチポイント２座標（ｘ２，ｙ２）及びタッチポイント３座標（ｘ３，ｙ３）を受信し、３つのタッチポイントの座標の横座標値、縦座標値の大きさに対する比較により、キャプチャー領域を確定する。
【００２７】
ここで、図２（ａ）に示すように、前記感知モジュール１０はスマートフォンスクリーンの左下方の点を座標原点として選んで、座標系ＸＹを確立する。ここで、前記感知モジュール１０は、スマートフォン全体のスクリーンがすべて座標系ＸＹの第１の象限に位置していることを確定し、即ち、前記感知モジュール１０が感知されたタッチポイントの座標の横座標値、縦座標値はすべて正の値である。
【００２８】
前記処理モジュール１１は３つのタッチポイントの座標の横座標値、縦座標値の大きさに対する比較により、キャプチャー領域を具体的に下記のとおりに確定する。
【００２９】
タッチポイント１座標の横座標値ｘ１、タッチポイント２座標の横座標値ｘ２及びタッチポイント３座標の横座標値ｘ３の大きさを比較し、図２（ａ）を組合わせ、前記処理モジュール１１はｘ１＜ｘ２＜ｘ３を得ることができる。
【００３０】
タッチポイント１座標縦座標値ｙ１、タッチポイント２座標縦座標値ｙ２及びタッチポイント３座標縦座標値ｙ３の大きさを比較し、図２（ａ）を組合わせ、前記処理モジュール１１はｙ３＜ｙ１＜ｙ２を得ることができる。
【００３１】
前記処理モジュール１１は、３つのタッチポイントの座標の横座標の最大値、最小値を取り出し、ここで、横座標の最大値ｘ３と最小値ｘ１を取り出し、横座標の最大値ｘ３、最小値ｘ１を減算して第１の差値Ｘ＝ｘ３−ｘ１を得る。
【００３２】
前記処理モジュール１１は３つのタッチポイントの座標縦座標の最大値、最小値を取り出し、ここで縦座標の最大値ｙ２と最小値ｙ３を取り出し、縦座標の最大値ｙ２、最小値ｙ３を減算して第２の差値Ｙ＝ｙ２−ｙ３を得る。
【００３３】
座標系に平行する横軸について、前記処理モジュール１１はタッチポイント３を通じて長さが第１の差値Ｘである１つの線分Ｍ１を形成し、同時に、タッチポイント２座標を通じて長さが第１の差値Ｘである１つの線分Ｍ２を形成する。
【００３４】
座標系に平行する縦軸について、前記処理モジュール１１はタッチポイント１を通じて長さが第２の差値Ｙである１つの線分Ｎ１を形成し、同時にタッチポイント３座標を通じて長さが第２の差値Ｙである１つの線分Ｎ２を形成する。
【００３５】
図２（ｂ）の破線ボックス部分に示すように、線分Ｍ１、Ｍ２、Ｎ１及びＮ２で囲まれた閉領域はキャプチャー領域である。図２（ｂ）に示すように、ユーザは３本の指を使用してキャプチャー領域に対してひねるように集めて、当該ひねるように集める操作を検出された場合、キャプチャー領域をキャプチャーし、最終に、キャプチャーされた画面の内容は図２（ｃ）に示すようであり、ここで、キャプチャー操作は前記ひねるように集める操作であってよい。
【００３６】
本実施例において、ユーザは３本の指を使用してスマートフォンに対するタッチを生成し、２本の指、４本の指及び５本の指を使用することができ、形成されるキャプチャー領域は１つの矩形であってよいし、三角形、正方形及び他の任意な不規則な形状を形成してもよい。形成されるキャプチャー領域については、ユーザの興味ある画面の内容が含まれる。
【００３７】
上記のスクリーンショット機能を内蔵するインテリジェント端末に基づいて、本発明の実施例はさらにスクリーンショット機能を内蔵するインテリジェント端末の実現方法を提供し、図３に示すように、前記方法は、下記のステップを含む。
【００３８】
ステップ３０：ユーザのタッチを感知し、タッチポイントの座標を形成する。
【００３９】
ステップ３１：タッチポイントの座標に対して処理し、キャプチャー領域を形成してキャプチャーする。
【００４０】
ここで、スクリーンショット機能を内蔵するインテリジェント端末は、感知モジュール及び処理モジュールを備え、感知モジュールは、ユーザのタッチを感知し、タッチポイントの座標を形成し、形成されるタッチポイントの座標を処理モジュールに送信しており、処理モジュールは、タッチポイントの座標を受信し、タッチポイントの座標に対して処理し、キャプチャー領域を形成し、その後、ユーザがキャプチャー動作を採用してキャプチャー領域をキャプチャーし、指のキャプチャー操作が検出された場合、キャプチャー領域をキャプチャーし、前記キャプチャー動作は指をひねるように集める動作であってよい。
【００４１】
前記処理モジュールがタッチポイントの座標に対して処理することは、すべてのタッチポイントの座標における横座標値、縦座標値の大きさの比較により、キャプチャー領域を確定する。
【００４２】
本実施例において、ユーザが３本の指を使用することを例として、ユーザは３本の指を使用して自分の興味ある画面の内容に対してスマートフォンタッチスクリーンでタッチし、図２（ａ）に示すようなタッチポイント１、タッチポイント２及びタッチポイント３を形成し、スマートフォンが静電容量式タッチスクリーンを採用するので、感知マトリックスを有する。そのため、感知モジュールはタッチポイント１、タッチポイント２及びタッチポイント３の位置を感知でき、タッチポイント１座標（ｘ１，ｙ１）、タッチポイント２座標（ｘ２，ｙ２）及びタッチポイント３座標（ｘ３，ｙ３）を形成し、感知モジュールは３つのタッチポイントの座標を処理モジュールに送信する。
【００４３】
ここで、感知モジュールはスマートフォンスクリーンの左下方の点を座標原点として選択し、座標系ＸＹを確立すると、感知モジュールはスマートフォンの全体のスクリーンがすべて座標系ＸＹの第１の象限に位置していることを確定し、即ち、感知モジュールが感知されたタッチポイントの座標の横座標値、縦座標値はすべて正の値である。
【００４４】
処理モジュールはタッチポイント１座標（ｘ１，ｙ１）、タッチポイント２座標（ｘ２，ｙ２）及びタッチポイント３座標（ｘ３，ｙ３）を受信し、その後、下記の過程を行う。
【００４５】
タッチポイント１座標の横座標値ｘ１、タッチポイント２座標の横座標値ｘ２及びタッチポイント３座標の横座標値ｘ３の大きさを比較し、図２（ａ）を組合わせ、処理モジュールはｘ１＜ｘ２＜ｘ３を得ることができる。
【００４６】
タッチポイント１座標の縦座標値ｙ１、タッチポイント２座標の縦座標値ｙ２及びタッチポイント３座標の縦座標値ｙ３の大きさを比較し、図２（ａ）を組合わせ、処理モジュールはｙ３＜ｙ１＜ｙ２を得ることができる。
【００４７】
処理モジュールは３つのタッチポイントの座標の横座標の最大値、最小値を取り出し、ここで、横座標の最大値ｘ３及び最小値ｘ１を取り出し、横座標の最大値ｘ３、最小値ｘ１を減算して第１の差値Ｘ＝ｘ３−ｘ１を得る。
【００４８】
処理モジュールは３つのタッチポイントの座標の縦座標の最大値、最小値を取り出し、ここで、縦座標の最大値ｙ２及び最小値ｙ３を取り出し、縦座標の最大値ｙ２、最小値ｙ３を減算して第２の差値Ｙ＝ｙ２−ｙ３を得る。
【００４９】
座標系に平行する横軸について、処理モジュールはタッチポイント３を通じて長さが第１の差値Ｘである１つの線分Ｍ１を形成し、同時にタッチポイント２座標を通じて長さが第１の差値Ｘである１つの線分Ｍ２を形成する。
【００５０】
座標系に平行する縦軸について、処理モジュールはタッチポイント１を通じて長さが第２の差値Ｙである１つの線分Ｎ１を形成し、同時にタッチポイント３座標を通じて長さが第２の差値Ｙである１つの線分Ｎ２を形成する。
【００５１】
図２（ｂ）の破線ボックス部分に示すように、線分Ｍ１、Ｍ２、Ｎ１及びＮ２で囲まれた閉領域はキャプチャー領域である。図２（ｂ）に示すように、ユーザは３本の指を使用してキャプチャー領域に対してひねるように集めて、指のひねるように集める操作が検出された場合、キャプチャー領域に対してキャプチャーを行い、最終に、キャプチャーした画面の内容は図２（ｃ）に示すようである。
【００５２】
本実施例において、ユーザは３本の指を使用してスマートフォンに対するタッチを形成し、２本の指、４本の指及び５本の指を使用することができ、形成されるキャプチャー領域は１つの矩形であってよいし、三角形、正方形及び他の任意な不規則な形状を形成してもよい。形成されるキャプチャー領域についてはユーザの興味ある画面の内容が含まれる。
【００５３】
以上は、ただ本発明の最適な実施例に過ぎず、本発明の保護範囲を制限することではない。
【産業上の利用可能性】
【００５４】
本発明の実施例に提供されているスクリーンショット機能を内蔵するインテリジェント端末及びその実現方法によって、ユーザは興味ある画面の内容に対してタッチし、インテリジェント端末はタッチを感知し、タッチポイントの座標を生成し、タッチポイントの座標に対して処理してキャプチャー領域を形成し、その後、ユーザの興味ある画面の内容をキャプチャーする。本発明の技術案によれば、キーの組み合わせを記憶する必要がなく、インテリジェント端末のスクリーン全画面で表示する状況で画面の内容キャプチャーを行う必要がなく、ユーザ操作に便利性が提供される。
【図１】
2016508251.tif 000003
【図３】
2016508251.tif 000004
【図２（ａ）】
2016508251.tif 000005
【図２（ｂ）】
2016508251.tif 000006
【図２（ｃ）】
2016508251.tif 000007
【国際調査報告】
2016508251.tif 000008
2016508251.tif 000009
2016508251.tif 000010
2016508251.tif 000011